【事件の表示】
　特願２００１−　５５３４６「印字装置」拒絶査定不服審判事件〔平成１４年　９月１３日出願公開、特開２００２−２５９０７４〕について、次のとおり審決する。
【結　論】
　本件審判の請求は、成り立たない。
【理　由】
１．手続きの経緯
　本願は、平成１３年２月２８日の出願であって、平成１８年２月２３日付けで拒絶査定がなされたところ、これに対して同年３月２９日に拒絶査定に対する審判請求がなされるとともに手続補正書が提出されたものである。
　
２．補正却下の決定
平成１８年３月２９日に提出された手続補正書による補正の却下の決定
　
（１）［補正却下の決定の結論］
　平成１８年３月２９日に提出された手続補正書による補正（以下、「本件補正」という。）を却下する。
　
（２）［補正却下の決定の理由］
（ａ）補正の内容
　本件補正によると、その特許請求の範囲の請求項３は、
「コンピュータから印字に関する指示及びデータを受信する接続手段と、
　前記接続手段を介して受信した前記データを格納する記憶手段と、
　前記記憶手段に格納した前記データに基づいてページごとに印字を行う印字手段と、
　前記接続手段を介して受信した前記指示に基づいて前記印字手段を制御する制御手段とを備え、
　前記制御手段は、前記記憶手段への前記データの格納を終え前記印字手段による前記データに基づく印字動作を開始した後、前記コンピュータに表示させた印字動作の一時停止指示を受け付ける画面に対する応答として、前記接続手段を介して印字の一時停止の指示を受信した場合は、前記印字手段による印字中のページの記録動作を完了させ、該ページ以降の印字を停止する制御を行うことを特徴とする印字装置。」
と補正されている。　
　
　上記補正は、補正前の請求項３に記載した発明を特定するために必要な事項である「前記接続手段を介して印字の一時停止の指示を受信した場合は、前記印字手段による印字中のページの記録動作を完了させ、該ページ以降の印字を停止する制御を行う」に対し、「前記コンピュータに表示させた印字動作の一時停止指示を受け付ける画面に対する応答として、」と限定するものであり、本件補正は、特許法第１７条の２第４項第２号に規定する特許請求の範囲の減縮を目的とするものに該当するといえる。
　そこで、本件補正後の前記請求項３に記載された発明（以下、「本願補正発明」という。）が、特許出願の際独立して特許を受けることができるものであるか（特許法第１７条の２第５項において準用する同法第１２６条第５項の規定に適合するか）否かについて以下検討する。
　
（ｂ）引用例
　原査定の拒絶の理由に引用された特開２０００−１１２６８５号公報（以下、「引用例」という。）には、図とともに、以下のような記載がある。
　
（イ）「【００１４】図１は、本実施の形態に適用可能なプリンタ（ＬＢＰ）の構成を示す断面図である。
【００１５】図１において、１０００はＬＢＰ本体を示し、外部に接続されているホストコンピュータ１００から供給されるＰＤＬデータを入力して解析処理し、そのＰＤＬデータをビットマップ展開した後ビデオデータに変換して、記録媒体である記録紙上に像を形成する。１００１はホストコンピュータ１００から供給されるＰＤＬデータを処理するプリンタコントローラである。このプリンタコントローラ１００１は、入力したＰＤＬデータを対応するパターンのビデオ信号に変換してレーザドライバ１００２に出力するとともに、ＬＢＰの各種ステータスをホストコンピュータ１００に通知している。」（段落【００１４】、【００１５】）
　
（ロ）「【００１７】［ネットワーク構成図］図２は、本実施の形態におけるネットワーク１１０の構成を説明するためのネットワーク図である。
【００１８】図において、１０はローカルエリア内のネットワークケーブルを示し、このネットワーク１１０に接続される各デバイスは、このネットワークケーブル１０を介して互いに接続されている。１００、２００、３００はそれぞれホストコンピュータであり、それぞれネットワーク接続ケーブル１０１、２０１、３０１を介してネットワークケーブル１０に接続されている。また、ホストコンピュータ１００はプリンタケーブル１１００を介してプリンタ１０００と接続されており、他のクライアントホストコンピュータ２００，３００からプリンタ１０００を使用する印刷ジョブを受け取って印刷を行なうプリントサーバとして機能している。ホストコンピュータ２００、ホストコンピュータ３００はプリンタ１０００に印刷ジョブを出力するクライアントホストコンピュータである。
【００１９】この様にして、ホストコンピュータ（プリントサーバ）１００に接続されたプリンタ１０００は。このネットワーク１１０で共有するように設定されている。ホストコンピュータ２００やホストコンピュータ３００の利用者は、不図示のアプリケーションプログラムを使用して、このネットワーク１１０で共有された、プリントサーバ１００に接続されたプリンタ１０００に対して印刷ジョブを発行して印刷を行う。この際、ホストコンピュータ２００、３００でスプールされた印刷データは、ネットワークケーブル１０を介してホストコンピュータ１００に送られる。このホストコンピュータ１００に送られた印刷データは、プリンタケーブル１１００を介してプリンタ１０００に送られて印刷が実行される。ホストコンピュータ１００とプリンタ１０００との間は双方向通信により接続されており、ホストコンピュータ１００、２００、３００にはプリンタ１０００の状態や印刷ジョブの状態を表示することが可能なように構成されている。
【００２０】図３は、本実施の形態のプリントサーバ１００の構成を示すブロック図である。
【００２１】３１０は例えばマイクロプロセッサ等のＣＰＵで、ＲＡＭ３１１などに記憶された制御プログラムに従って、このプリントサーバ１００全体の動作を制御している。ＲＡＭ３１１は、更にＣＰＵ３１０による制御処理の実行時に、各種データを記憶するためのワークエリアを有している。３１２は入力部で、例えばキーボードやマウス等を有し、ユーザの操作に応じて各種データやコマンド等を入力するのに使用される。３１３は表示部で、例えばＣＲＴや液晶等で構成され、後述するプリンタステータスウインドウ等を表示するのに使用される。３１４はプリンタ・インターフェースで、このプリントサーバ１００とプリンタ１０００との間での双方向インターフェースを制御している。３１５はハードディスクで、ネットワーク１１０を介して受信した印刷ジョブや、ＣＰＵ３１０により実行される各種アプリケーションプログラムや制御プログラムなどを記憶している。３１６はネットワーク制御部（ＮＣＵ）で、ネットワーク１１０との間の通信を制御している。」（段落【００１７】〜【００２１】）
　
（ハ）「【００２６】ネットワークステータスモニタは、接続されたプリントサーバ１００のプリンタステータスウィンドウと通信を行なって印刷に関する情報を取得し、その印刷についての操作情報を送出する。このネットワークステータスモニタには、現在の印刷の状態（この場合は「印刷中」）や、印刷を行ったアプリケーショ（ここでは「メモ帳」）やファイル名（ここでは「test」）等が表示される。また、ネットワークステータスモニタのタイトルバー部分には、接続しているプリントサーバの名称（図５では、「DECP133」）とプリンタ名（Canon LBP-220）が表示される。
【００２７】［クライアントでの印刷ジョブ操作］クライアントホストコンピュータ２００，３００で動作するネットワークステータスモニタにおいては、プリントサーバ１００での印刷の一時停止、再開、強制印刷、中止の操作を行なうことが可能である。
【００２８】図６はクライアントホストコンピュータ２００，３００のネットワークステータスモニタにおける、印刷の一時停止、再開、強制印刷、中止の操作を行なう方法を示した図である。
【００２９】こうした操作は、「プリンタ(P)」メニューの中から、「一時停止」、「再開」、「強制印刷」、「中止」等の各メニュー項目を選択することにより実行することができる。また、現在のプリンタ１０００の状態により実行可能な操作が制限されており、現在の状態では実行できない操作のメニュー項目（図６の例では、「一時停止(P)」「強制印刷(F)」）がグレー表示され、その項目を選択することができないようになっている。そして図６の例では、「再開」と「中止」だけが選択可能になっている。
【００３０】このネットワークステータスモニタでの印刷ジョブの表示や操作は、接続されたプリントサーバ１００で現在印刷している印刷ジョブについて有効である。」（段落【００２６】〜【００３０】）
　
（ニ）「【００３９】一方、ネットワークステータスモニタ３０００からユーザが行なったプリンタや印刷ジョブに対する「印刷停止」、「再開」、「強制印刷」、「中止」等の操作はプリンタ操作部３００３により処理され、WritePipeスレッド３００１を使ってネットワーク１１０を経由してプリントサーバ１００のプリンタステータスウィンドウ２０００のNSMスレッド２００５に通知され、イベントでメインスレッド２００１に送られて処理される。」（段落【００３９】）
　
（ホ）「【００４８】なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。」（段落【００４８】）
　
　以上の記載によれば、この引用例には以下のような発明（以下、「引用例発明」という。）が開示されていると認められる。
　
「クライアントホストコンピュータ２００，３００から印刷ジョブに対する操作及び印刷データを受信するネットワーク１１０、ネットワーク制御部（ＮＣＵ）３１６と、
　前記ネットワーク制御部（ＮＣＵ）３１６を介して受信した前記印刷データを記憶するハードディスク３１５と、
　プリンタケーブル１１００を介して前記ハードディスク３１５に記憶した前記印刷データに基づいて印刷を実行するレーザビームプリンタ（ＬＢＰ）１０００とを備えたホストコンピュータ（プリントサーバ）１００において、
　前記クライアントホストコンピュータ２００，３００で動作するネットワークステータスモニタの「プリンタ（Ｐ）」メニューの中から、「一時停止」、「再開」、「強制印刷」、「中止」の各項目を選択することにより、印刷ジョブに対する「一時停止」、「再開」、「強制印刷」、「中止」の操作がネットワーク１１０経由して通知され、ホストコンピュータ（プリントサーバ）１００での印刷の「一時停止」、「再開」、「強制印刷」、「中止」の操作を行うことが可能であり、このネットワークステータスモニタでの印刷ジョブの操作は、接続されたホストコンピュータ（プリントサーバ）１００で現在印刷している印刷ジョブについて有効であることを特徴とする印刷システム。」　
　
（ｃ）対　比
　本願補正発明と引用例発明とを対比する。
　引用例発明における「印刷ジョブに対する操作及び印刷データ」は、本願補正発明の「印字に関する指示及びデータ」に相当する。
　引用例発明における「クライアントホストコンピュータ２００，３００」、「ネットワーク１１０、ネットワーク制御部（ＮＣＵ）３１６」及び「ハードディスク３１５」は、それぞれ本願補正発明の「コンピュータ」、「接続手段」及び「記憶手段」に相当する。
　引用例発明の「レーザビームプリンタ（ＬＢＰ）１０００」は、本願補正発明の「ページごとに印字を行う印字手段」に相当するといえる。
　引用例発明の「前記クライアントホストコンピュータ２００，３００で動作するネットワークステータスモニタの「プリンタ（Ｐ）」メニュー」は、本願発明の「前記コンピュータに表示させた印字動作の一時停止指示を受け付ける画面」に相当するといえる。
　引用例発明は、前記クライアントホストコンピュータ２００，３００で動作するネットワークステータスモニタの「プリンタ（Ｐ）」メニューの中から、「一時停止」の項目を選択することにより、印刷ジョブに対する「一時停止」の操作がネットワーク１１０経由して通知され、ホストコンピュータ（プリントサーバ）１００での印刷の「一時停止」の操作を行うことが可能であり、このネットワークステータスモニタでの印刷ジョブの操作は、接続されたホストコンピュータ（プリントサーバ）１００で現在印刷している印刷ジョブについて有効であるから、本願補正発明と「前記接続手段を介して受信した前記指示に基づいて前記印字手段を制御する制御手段を備え」、「前記制御手段は、記憶手段への前記データの格納を終え前記印字手段による前記データに基づく印字動作を開始した後、前記コンピュータに表示させた印字動作の一時停止指示を受け付ける画面に対する応答として、前記接続手段を介して印字の一時停止の指示を受信した場合は、印字を停止する制御を行う」点で一致するといえる。
　引用例発明における「印刷システム」は、本願補正発明の「印字装置」と「印字システム」である点で対応するといえる。
　
　そうすると、両者は、
「コンピュータから印字に関する指示及びデータを受信する接続手段と、
　前記接続手段を介して受信した前記データを格納する記憶手段と、
　前記記憶手段に格納した前記データに基づいてページごとに印字を行う印字手段と、
　前記接続手段を介して受信した前記指示に基づいて前記印字手段を制御する制御手段とを備え、
　前記制御手段は、前記記憶手段への前記データの格納を終え前記印字手段による前記データに基づく印字動作を開始した後、前記コンピュータに表示させた印字動作の一時停止指示を受け付ける画面に対する応答として、前記接続手段を介して印字の一時停止の指示を受信した場合は、印字を停止する制御を行うことを特徴とする印字システム。」
で一致するものであり、次の（１）、（２）の点で相違している。
　
（１）印字の一時停止の指示を受信した場合、本願補正発明は「前記印字手段による印字中のページの記録動作を完了させ、該ページ以降の印字を停止する制御を行う」のに対し、引用例発明では、印刷ジョブの印字の一時停止の動作、制御内容が明らかではない点。
　
（２）本願補正発明は、「印字装置」であるのに対し、引用例発明は、「レーザビームプリンタ（ＬＢＰ）１０００」と「ホストコンピュータ（プリントサーバ）１００」からなる印刷システムである点。
　
（ｄ）当審の判断
・相違点（１）について
　印刷システムにおいて印刷ジョブの印刷を停止する場合に、印字中のページの印刷を完了させ、それ以降の印刷を停止する制御を行うことは、本出願前周知（特開平１１−３５３１３２号公報段落【００２１】、【００２９】、【００３０】の記載、特開２０００−３５３０６０号公報段落【００４１】、【００５２】の記載、特開平１１−３３８６５２号公報段落【００６７】の記載、特開２０００−８１９５７号公報段落【００１７】の記載参照）である。
　したがって、上記周知技術を採用することにより、引用例発明において、印字の一時停止の指示を受信した場合は、前記印字手段による印字中のページの記録動作を完了させ、該ページ以降の印字を停止する制御を行うようにすることは容易になし得ることである。
　
・相違点（２）について
　引用例には、「なお、本発明は、複数の機器（例えばホストコンピュータ，インタフェイス機器，リーダ，プリンタなど）から構成されるシステムに適用しても、一つの機器からなる装置（例えば、複写機，ファクシミリ装置など）に適用してもよい。」（記載事項（ホ））ことが記載されており、また、プリンタとプリンタサーバの機能を備える印字装置は本出願前周知である。
　そうすると、引用例発明のレーザビームプリンタ（ＬＢＰ）１０００とホストコンピュータ（プリントサーバ）１００からなる印刷システムを、接続手段、印字データ記憶手段、印字制御手段及び印字手段を備える印字装置とすることも容易になし得ることである。
　
　また、前記相違点により奏される効果は当業者であれば引用例発明及び周知技術から予想できる範囲内のものである。
　
（ｅ）結論
　そうすると、本願補正発明は、引用例発明及び周知技術に基づいて当業者が容易に発明をすることができたものであるから、特許法第２９条第２項の規定により、特許出願の際独立して特許を受けることができないものである。
　したがって、本件補正は、平成１８年法律第５５号改正附則第３条第１項によりなお従前の例とされる同法による改正前の特許法第１７条の２第５項において準用する同法第１２６条第５項の規定に違反するので、同法第１５９条第１項において読み替えて準用する同法第５３条第１項の規定により却下すべきものである。
 　
３．本願発明
　上記のとおり、上記本件補正は却下されたので、本願請求項３に係る発明（以下、「本願発明」という。）は、平成１７年１２月２日に提出された手続補正書における特許請求の範囲の請求項３に記載された事項により特定される、以下のとおりのものである。
　
「コンピュータから印字に関する指示及びデータを受信する接続手段と、
　前記接続手段を介して受信した前記データを格納する記憶手段と、
　前記記憶手段に格納した前記データに基づいてページごとに印字を行う印字手段と、
　前記接続手段を介して受信した前記指示に基づいて前記印字手段を制御する制御手段とを備え、
　前記制御手段は、前記記憶手段への前記データの格納を終え前記印字手段による前記データに基づく印字動作を開始した後、前記接続手段を介して印字の一時停止の指示を受信した場合は、前記印字手段による印字中のページの記録動作を完了させ、該ページ以降の印字を停止する制御を行うことを特徴とする印字装置。」
　
４．引用例
　原査定の拒絶理由に引用された引用例、及びその記載事項は、前記「２．（２）（ｂ）」に記載したとおりである。
　
５．対比
　本願発明は、前記２．で検討した本願補正発明の「前記コンピュータに表示させた印字動作の一時停止指示を受け付ける画面に対する応答として、前記接続手段を介して印字の一時停止の指示を受信した場合は、前記印字手段による印字中のページの記録動作を完了させ、該ページ以降の印字を停止する制御を行う」から限定を省き、「前記接続手段を介して印字の一時停止の指示を受信した場合は、前記印字手段による印字中のページの記録動作を完了させ、該ページ以降の印字を停止する制御を行う」としたものである。
　そうすると、本願発明の構成要件を全て含み、さらに限定したものに相当する本願補正発明が前記２．に記載したとおり、引用例発明及び周知技術に基づいて、当業者が容易に発明をすることができたものであるから、本願発明も同様の理由により、引用例発明及び周知技術に基づいて、当業者が容易に発明をすることができたものである。
　
６．むすび
　以上のとおり、本願請求項３に係る発明は、引用例発明及び周知技術に基づいて当業者が容易に発明をすることができたものであるから、特許法第２９条第２項の規定により、特許を受けることができない。
　したがって、本願は、その余の請求項について論及するまでもなく拒絶すべきものである。
　よって、結論のとおり審決する。